(57)【要約】  【課題】  確実にデータの不正取得、改質や破壊されることを阻止でき、また、読み取り機の誤作動を防止すると共に、使用も容易な操作で確実に行えるＩＣカード用ケースを提供する。  【解決手段】  開閉自在に折り畳みして成る本体２と、折り畳んだ本体２内に挟持される矩形のカード保持部５とで構成し、本体２は電磁波の遮蔽材料で形成され、カード保持部５は非導電性材料で形成されると共に、本体２の開閉方向に対して９０度の方向へ反転可能に、本体の一内面に一つのカード保持部５の一辺を接着し、この接着辺を軸にしてカード保持部５を反転し本体２から突出させることを特徴とする。【選択図】  図1
0003136176.tif 000002
【実用新案登録請求の範囲】
【請求項１】
開閉自在に折り畳みして成る本体と、折り畳んだ本体内に挟持される矩形のカード保持部とで構成し、本体は電磁波の遮蔽材料で形成され、カード保持部は非導電性材料で形成されると共に、本体の開閉方向に対して９０度の方向へ反転可能に、本体の一内面に一つのカード保持部の一辺を接着し、この接着辺を軸にしてカード保持部を反転し本体から突出させることを特徴とするＩＣカード用ケース。
【請求項２】
電磁波の遮蔽層を有する本体としたことを特徴とする請求項１記載のＩＣカード用ケース。
【請求項３】
電磁波の遮蔽層が、電磁波反射層又は／及び電磁波吸収層であることを特徴とする請求項２記載のＩＣカード用ケース。
【請求項４】
カード保持部は袋体であって、本体へ接着した一辺に沿ってＩＣカードの出し入れ口を形成したことを特徴とする請求項１乃至３記載のいずれか1項記載のＩＣカード用ケース。
【請求項５】
袋体が透視可能な材質で形成されていることを特徴とする請求項４記載のＩＣカード用ケース。
【考案の詳細な説明】
【技術分野】
【０００１】
本発明は電波信号によりデータの授受を行う非接触型ＩＣカード等の電磁波遮蔽を目的とする非接触型記録媒体の保護材およびＩＣカード用ケースに関するものである。
【背景技術】
【０００２】
今日ＩＣを利用したカードが多方面で使用されている。
この種のＩＣに内蔵する記憶素子へのデータの読み書き方式として、接触型と非接触型とがある。
しかし、電磁波を用いた通信方式により、接続端子の代わりに非接触状態で通信を可能にする非接触型の普及が盛んとなっている。
【０００３】
この非接触型のＩＣカードの通信方式は電磁波を用いるため、外部から悪意をもった者が接近して、データの不正取得、改質や破壊する虞があり、また、不特定の電磁波によって、誤作動によるデータの読み出し、書き込み、書き換えや破壊の可能性もある。
【０００４】
そのため、ＩＣカードを収容するケース等に、電磁波を遮断する部材やシートを設けたものがあり、特開２０００−３００１４号はケースの一部に電磁波を遮断する部材を設け、特開２００１−２５６４５０号はケース収納部の内面に導電シート層を設け、特開２００３−３００５７９号は折り畳み型の容器の収納部と第２折り畳み部に電磁波遮断シートを備えたものとし、更に特開２００４−１８８２１５号ではカードを覆って電磁波を遮蔽する電磁波シールド手段を備えたものとしている。
しかし、ＩＣカードを使用する際には電磁波の情報を読み取り可能にするため、ケースからその都度ＩＣカードを取り出して使用する必要が生じるのである。
【０００５】
そこで、斯かる点を考慮し、例えば、実開平０４−６４１７６では二枚の磁気シールド材間に支持ピンを形成し、該支持ピンは情報カード本体を貫通すると共にケースの内部にて該支持ピンを中心に回動可能に支持したものがある。
また、特開２００４−１０２４７３では、複数枚のＩＣカードを収容可能な非導電性材料からなるＩＣカードケース本体と、前記ＩＣカードケース内を、それぞれ少なくとも１枚の前記ＩＣカードを収容可能な複数の区画に区分する電磁遮蔽材料からなる仕切り板とからなるＩＣカード用ケースと、前記ＩＣカード用ケースを複数部重ね、各前記ＩＣカード用ケースのコーナ部にて１点で回動自在に綴じた集合体としたものがある。
【考案の開示】
【考案が解決しようとする課題】
【０００６】
本考案は、確実にデータの不正取得、改質や破壊されることを阻止でき、また、読み取り機の誤作動を防止すると共に、使用も容易な操作で確実に行えるＩＣカード用ケースを提供せんとするものである。
【課題を解決するための手段】
【０００７】
本考案のＩＣカード用ケースは、開閉自在に折り畳みして成る本体と、折り畳んだ本体内に挟持される矩形のカード保持部とで構成し、本体は電磁波の遮蔽材料で形成され、カード保持部は非導電性材料で形成されると共に、本体の開閉方向に対して９０度の方向へ反転可能に、本体の一内面に一つのカード保持部の一辺を接着し、この接着辺を軸にしてカード保持部を反転し本体から突出させることを特徴とするものである。
【０００８】
請求項２の考案は、電磁波の遮蔽層を有する本体としたことを特徴とし、また、請求項３の考案は、電磁波の遮蔽層が、電磁波遮反射又は／及び電磁波吸収層であることを特徴とするものである。
【０００９】
そして、請求項４の考案は、カード保持部は袋体であって、本体へ接着した一辺に沿ってＩＣカードの出し入れ口を形成したこと、請求項５の考案は袋体が透視可能な材質で形成されていることを特徴とするものである。
【考案の効果】
【００１０】
開閉自在に折り畳みして成る本体内に矩形のカード保持部がされているため、電磁波の遮蔽材料で形成された本体の電磁波遮蔽作用により、カード保持部に収容されるＩＣカードは、データの不正取得、改質や破壊されることを阻止できる効果を有するものである。
【００１１】
また、カード保持部に収容されたＩＣカードの使用に際しては、本体を開いて本体内面に一辺を接着した接着辺を軸にし、カード保持部を反転させて保持したカードを本体から突出させることで、電磁波の通過が可能なカード保持部内のカードの情報を読み取り機で容易に読み取り可能となるのであり、使用後は元へ反転さて本体を畳めば良く、簡単容易な操作で効果を得られ、日常頻繁に使用するＩＣカード型の交通定期券等に至便である。
【００１２】
カード保持部は非導電性材料で形成されるから情報の読み取りが可能となり、カード保持部には当然一枚のＩＣカードしか収納せず、本体の一内面に一つのカード保持部の一辺を接着したものであるから、複数のカード保持部が在っても、必要なカードの選択が容易で確実にケースから突出させて提示できる効果を有するのである。
【００１３】
電磁波の遮蔽層を有する本体とすれば、遮蔽層の表裏面を装飾材としてファッション性のあるケースとすることも出来、また、電磁波の遮蔽層も電磁波反射層又は／及び電磁波吸収層を適宜選択して商品価値を高めることが容易と成る効果がある。
【００１４】
カード保持部を袋体とすることでＩＣカードの収納が確実となって安定し、本体へ接着した一辺に沿ってＩＣカードの出し入れ口を形成すれば、ＩＣカードを使用するために反転した時に、折曲部が出し入れ口への空間を閉塞する格好と成って、カード保持部からＩＣカードの脱落を防止する効果が有り、袋体を透視可能な材質で形成すれば、収容したＩＣカードの種類の確認が容易となるものである。
【考案を実施するための最良の形態】
【００１５】
本考案の実施の形態を図面に基づいて説明する。
図１は本考案の実施の一態様を示すＩＣカード用ケースであり、二つ折り用のケース１を開いた状態の上面図であり、図２は図１のＡ−Ａ線断面図である。
【００１６】
ケース１の本体２は横長矩形の中央部で左右に別れて折曲可能であり、左右部の２Ａ、２Ｂの内側にはポケットが形成されている。
本体２は電磁波を遮蔽する材料で形成され、柔軟な素材で入射する電磁波を反射するもの、或いは吸収するものの何れかを単独で又は共に用いてもよく、板状でも、シート状でも、クロス状でも良い。
また、電磁波を遮蔽する材料をサンドイッチ構造として非導電性素材で抱持したもの、或いは非導電性材料と重合したものとしてもよい。
【００１７】
電磁波を反射遮断する素材としては、金属、金属系繊維、金属膜を塗布又は蒸着して形成したもの、導電性の金属、例えばアルミニウム、鉄、ニッケル、銅等から成る箔状、板状、網状のシートや複合シート、また、金属粉や導電性繊維を樹脂に混入させてコーティングしたもの、或いは、樹脂フィルムに伝導性金属製金網を当着したもの等があげられる。
【００１８】
電磁波を吸収遮断する素材としては、炭素繊維、或いは植物繊維を原料とする糸で製成した織編物を炭化したシートがあげられる。
炭化したシートの織物地は、植物繊維を原料とする糸で織ったものであり、植物繊維とは綿、麻やスフが挙げられ、単糸、撚り合わせ糸を問わず、混紡糸や交撚糸でもよく、また、同一の糸である必要もなく異なる糸を使用しても良い。
【００１９】
前記ポケットを形成するポケットのシート３Ａ、３Ｂの材質は任意であり、中央で折曲部側に開口部４Ａ、４Ｂを形成し各種カード等を収納できるように成っている。
また、一方のポケットのシート３Ｂの表面にカード保持部５が当着してあり、カード保持部５はポケットのシート３Ｂの上下左右の幅に納まる大きさであり、即ち折り曲げた本体２からはみ出すことがない大きさとなっている。
【００２０】
カード保持部５は非導電性材料で形成されるものであり、透視性のある材料が好ましい。
図面では表裏二枚の矩形の塩化ビニール樹脂シート６Ａ、６Ｂを重ね一辺を出し入れ口７として開口して、他の三辺を融着して袋状とした。さらに、出し入れ口７から延伸した裏面側の樹脂シート６Ｂをポケットのシート３Ｂに逢着８したものである。
カード保持部５を形成する非導電性材料として、他に布や革等を用いることができる。
【００２１】
したがって、開閉自在に折り畳みして成る本体２内のカード保持部５にＩＣカード９を収容しておけば、電磁波の遮蔽材料で形成された本体２の電磁波遮蔽作用により、カード保持部５に収容されるＩＣカード９は、データの不正取得、改質や破壊されることを阻止できる。
また、ＩＣカード９の使用に際しては、本体２を開いて内面のポケットのシート３Ｂに逢着８した一辺を軸にし、図１中の矢印Ｂの方向にカード保持部５を反転させる。カード保持部５を収容保持したＩＣカード９を本体２から破線で示すように突出させ、電磁波を通過させるカード保持部５内のＩＣカード９の情報を読み取り機で読み取りが可能となる。使用後は図１中の矢印Ｂの反対方向にカード保持部５を反転させて本体２を折り畳んで元へ戻すものである。
【００２２】
図面では本体２を二つ折りとしてあるけれど、三つ折りや、四つ折りであってもよく、また、ポケットも必要に応じて形成するものである。
更に、カード保持部５は一つに限定されるものでなく、折り畳まれる各面に設けることが可能である。
しかし、一つの面に複数のカード保持部５を形成する場合は反転する方向が、上方や下方或いは側方と夫々異なる方向となるように構成する必要がある。
【図面の簡単な説明】
【００２３】
【図１】本考案の実施の一態様を示す二つ折り用ケースであり、開いた状態の上面図である。
【図２】図１のＡ−Ａ線断面図である。
【符号の説明】
【００２４】
１            ケース
２            本体
３Ａ、３Ｂ    ポケットのシート
４Ａ、４Ｂ    開口部
５            カード保持部
６Ａ、６Ｂ    樹脂シート
７            出し入れ口
８            逢着
９            ＩＣカード
【図１】
0003136176.tif 000003
【図２】
0003136176.tif 000004